(57)【要約】【課題】塵芥を良好に確保できる一方で、流水を堰き止めることなくよりスムーズに流下させ得るようにする。【解決手段】スクリーン１２を回転駆動しながら該スクリーン１２によって塵芥を捕捉する除塵装置に関する。スクリーン１２は、複数の多孔質パネル３２が周方向に連結されることにより構成されている。各多孔質パネル３２には、透水孔として断面正六角形の複数の透水孔３６が縦横整列して形成されている。【選択図】　　　　図３
0003098519.tif 000002
【実用新案登録請求の範囲】
【請求項１】
複数の多孔質パネルを無端状に連結してなるスクリーンを有し、流下する塵芥を前記スクリーンにより捕捉しつつ、該スクリーンの回転移動に伴い塵芥を流水中から引き上げる除塵装置において、前記多孔質パネルの複数の透水孔として六角形断面をもつ透水孔を形成したことを特徴とする除塵装置。
【請求項２】
請求項１に記載の除塵装置において、
前記多孔質パネルはスクリーン回転方向と直交する方向に細長の矩形に形成され、前記各透水孔は、六角形断面の頂部がスクリーン回転方向に向き、かつこの回転方向およびこれと直交する方向に一定ピッチで整列して並び、さらに前記回転方向に隣接する透水孔同士が前記直交する方向に半ピッチずれた配列で前記多孔質パネルに形成されていることを特徴とする除塵装置。
【考案の詳細な説明】
【０００１】
【考案の属する技術分野】
本考案は、水路内等に設けられた無端状のスクリーンを回転駆動しながら、このスクリーンにより水路を流下する藻類や草の塊等の塵芥を捕捉して除去する除塵装置に関するものである。
【０００２】
【従来の技術】
除塵装置として、従来から無端状に構成された多孔質のベルト状部材（スクリーン）を水路内に回動可能に設置するとともにこのスクリーンを流水が透過するように流路を形成し、水路を流下する塵芥をスクリーンにより捕捉する一方で、このスクリーンを回転駆動して捕捉した塵芥を水面上に引き上げて水路外に除去するように構成された除塵装置が一般に知られている。
【０００３】
この種の装置において、前記スクリーンとしては、流水の透過性、および塵芥の捕捉性が良好なことから一般に金網製のものが主流であった。しかし、金網製のスクリーンでは、毛髪等、繊維状の塵芥が絡み付き易く、また一旦、絡み付くとその除去が困難になるという問題があった。
【０００４】
そこで、近年では、流水の透過方向にある程度厚みのある多孔質パネルを無端状に連結することにより、塵芥の絡み付きを生じ難くしたスクリーンが用いられるようになっている。
【０００５】
【考案が解決しようとする課題】
多孔質パネルを使ったスクリーンは、上記のように繊維状の塵芥が絡み付き易くなるという利点がある一方で、構造上、強度との関係で透水面積（開口率）を確保するのが難しく、また、粘性のある塵芥が孔内部に付着し易く透水孔を塞ぐ虞れがある。従って、多孔質パネルを使ったスクリーンについては、塵芥を良好に捕捉する一方で、透水性を確保することが求められる。
【０００６】
この点について、近年、パネル連結型のスクリーンとして矩形断面、又は円形断面の複数の透水孔を並べて穿設したものが周知であるが、いずれのものもスクリーンの透水性を確保する上では充分とは言えない。
【０００７】
すなわち、矩形断面の透水孔の場合には、透水孔を縦横に並べることでパネルの開口率を大きくとることが可能であり、スクリーンの透水性を確保する上では理論的には有利と考えられる。しかし、孔内にエッジ部分（角部）が存在するため、使用中、粘性のある塵芥が付着し易く透水孔が塞がれ易い。一方、円形断面の透水孔の場合には、孔内にエッジ部分が存在しないため塵芥の付着により透水孔が閉塞されるという現象は起き難い。しかし、パネルに対して矩形断面の透水孔ほど効率的に（無駄なく）透水孔を設けることは不可能であり開口面積自体を確保し難い。
【０００８】
従って、いずれの孔形の場合も透水性を確保するという観点からは未だ不十分であり、ここに改良の余地がある。
【０００９】
本考案は、上記問題を解決するためになされたものであり、パネル連結型のスクリーンをもつ除塵装置において、塵芥を良好に確保できる一方で、流水を堰き止めることなくよりスムーズに流下させ得るようにすることを目的としている。
【００１０】
【課題を解決するための手段】
上記課題を解決するために、本考案は、複数の多孔質パネルを無端状に連結してなるスクリーンを有し、流下する塵芥を前記スクリーンにより捕捉しつつ、該スクリーンの回転移動に伴い塵芥を流水中から引き上げる除塵装置において、前記多孔質パネルの複数の透水孔として六角形断面をもつ透水孔を形成したものである。
【００１１】
このように多孔質パネルの透水孔として六形断面の透水孔を適用すれば、透水孔を縦横に並べて設けることによってパネルの開口率を矩形断面の透水孔に比べて大きくとることが可能となる。また、透水孔内にエッジ部は在るものの、その角度が鈍角となるため、エッジ部の角度が直角となる矩形断面の透水孔に比べて粘性塵芥が付着し難くなり、その結果、塵芥の付着による透水孔の閉塞も抑えることができるようになる。
【００１２】
この除塵装置において、前記多孔質パネルはスクリーン回転方向と直交する方向に細長の矩形に形成され、各透水孔は、六角形断面の頂部がスクリーン回転方向に向き、かつこの回転方向およびこれと直交する方向に一定ピッチで整列して並び、さらに前記回転方向に隣接する透水孔同士が前記直交する方向に半ピッチずれた配列で前記多孔質パネルに形成されているのが、より好ましい。
【００１３】
この構成によると、パネルに無駄なく多数の透水孔を設けて開口面積を稼ぐことができ、しかもパネル中央（長手方向中央）での曲げ応力を小さくすることが可能となる。従って、多孔質パネル（スクリーン）の耐久性を高めることが可能となる。
【００１４】
【考案の実施の形態】
本考案の実施の形態について図面を用いて説明する。
【００１５】
図１及び図２は、本考案に係る除塵装置を概略的に示している。なお、図１は、除塵装置の全体構成を分かり易くするために、装置を部分的に破断して図示し、またその一部を省略した状態で図示している。
【００１６】
同図に示すように、除塵装置１０は、水路１を流れる塵芥を捕捉するためのスクリーン１２と、このスクリーン１２を駆動する駆動機構と、捕捉した塵芥をスクリーン１２から脱落させて捕集するための除去装置１４とを備えている。
【００１７】
上記スクリーン１２は、水路１の長手方向に貫通する無端ベルト状の多孔質の部材で、水路１内に突設される隔壁２とこの隔壁２の下流側において水路１の中央に立設される中間支柱壁３との間に、上部が水面上に露出するように縦長に配置された状態で回転駆動されるようになっている。
【００１８】
具体的に説明すると、上記隔壁２および中間支柱壁３にそれぞれスクリーン１２を案内するガイド２０が配置される一方、これらガイド２０の上方に一対のスプロケット２３を備えた回転体２２が回転可能に支持され、これら回転体２２およびガイド２０に亘ってスクリーン１２が掛け渡されるとともに、スクリーン１２の後記ローラチェーン３０がスクリーン１２の前記スプロケット２３に噛合している。そして、前記回転体２２の側方にモータ２５が配設され、このモータ２５の出力軸に装着されるプーリ２６と回転体２２の回転軸に装着されたプーリ２７とに亘って駆動ベルト２８が掛け渡されている。この構成によりモータ２５が作動するとその回転駆動力が上記回転体２２に伝達され、その結果、回転体２２の回転に伴いスクリーン１２が周回移動（回動）するようになっている。なお、図１中、符号２４はテンションローラであって、このテンションローラ２４がスクリーン１２に対してその外周側からローラチェーン３０に圧接されることによってスクリーン１２が前記回転体２２等に掛け渡された状態で張設されている。
【００１９】
図３に示すように、前記スクリーン１２は、互い平行な一対の無端状ローラチェーン３０（同図では片側のみ示している）と、これらローラチェーン３０の間に一列に並べられた状態で両チェーン３０にそれぞれ連結される複数の多孔質パネル３２とから構成されている。
【００２０】
各多孔質パネル３２は、１５ｍｍ〜２０ｍｍ程度の板厚を有する合成樹脂製の矩形パネルで、図３，図４（ａ）に示すように、スクリーン１２の回転方向と直交する方向（幅方向という；図３，図４（ａ）では左右方向）に細長に形成されている。多孔質パネル３２には、同図に示すようにその全面に亘って正六角形断面の複数の透水孔３６が縦横に規則的に形成されている。具体的には、六角形断面の頂部がスクリーン回転方向（図３，図４（ａ）の上下方向）に向き、かつこの回転方向および幅方向（同図の左右方向）にそれぞれ一定ピッチで複数の透水孔３６が整列して並び、さらに回転方向に隣接する透水孔３６同士が前記幅方向に半ピッチずれた配列で透水孔３６が形成されている。
【００２１】
多孔質パネル３２は、中央開口を有する専用フレーム３４にボルトナットで脱着可能に組付けられており、このフレーム３４を介して前記両ローラチェーン３０にボルトで固定されている。
【００２２】
ローラチェーン３０に連結される多孔質パネル３２（フレーム３４）のうち、周方向に隣接するフレーム３４同士は例えばゴム製の連結部材（図示省略）を介して互いに連結されている。この構成により多孔質パネル３２同士が自在性を保持した状態で隙間なく無端状に連結されている。
【００２３】
除去装置１４は、図１に示すように、スクリーン１２の外側であって上記回転体２２の直上方に配置されるスプレー装置４０と、このスプレー装置４０に対向してスクリーン１２の内側に配置されるトラフ４２とを有している。
【００２４】
スプレー装置４０は、例えば水路底に設置されるポンプにより流水を汲み上げつつスクリーン１２に向かって高圧で水を噴射するもので、スクリーン１２によって捕捉された塵芥を脱落させるように構成されている。一方、トラフ４２は、前記スプレー装置４０を挟んでスクリーン１２の下方に配置されており、水圧によってスクリーン１２から脱落する塵芥を捕集しながらスクリーン１２の上流側に配置される捕集箱４４に案内するように構成されている。
【００２５】
以上のような除塵装置１０において、水路１の流水は、図１及び図２中に白抜き矢印で示すように隔壁２の開口部２ａを介してスクリーン１２の内側に案内され、スクリーン１２の周面、すなわち多孔質パネル３２の透水孔３６を通じて下流側へと流下する。従って、水中に塵芥が含まれていると、流水がスクリーン１２の周面を透過する際に捕捉されることとなる。
【００２６】
そして、このように塵芥が捕捉される一方で、上記モータ２５の作動によりスクリーン１２が回転駆動される。このようにスクリーン１２が駆動されることにより、捕捉された塵芥がスクリーン１２の回転に伴い水中から引き上げられてスクリーン上端部（回転体２２の位置）まで運ばれ、ここでスプレー装置４０によって高圧の水が吹き付けられることによりスクリーン１２から塵芥が除去されてトラフ７１内に捕集されることとなる。この際、スクリーン１２は、上述したように１５〜２０ｍｍ程度の板厚を有する多孔質パネル３２を連結した構成となっていて透水孔３６がある程度深さを有しているので、毛髪等の繊維状の塵芥がスクリーン１２に絡み付き難く、従って、捕捉された塵芥がスプレー装置４０の水圧だけで良好に除去されることとなる。
【００２７】
こうしてトラフ４２内に捕集された塵芥は、その自重によりトラフ４２に沿って移動し、これにより捕集箱４４へと案内される。そして、この捕集箱４４がある程度満杯になると、作業者により水路外に搬出されることとなる。
【００２８】
以上のような除塵装置１０によると、スクリーン１２が多孔質パネル３２によって形成されて毛髪等、繊維状の塵芥がスクリーン１２に絡み付き難くなっているので、捕捉した塵芥をスプレー装置４０の水圧だけで容易にスクリーン１２から脱落させることができる。従って、捕捉した塵芥を確実、かつ速やかに水路外に運び出すことができる。
【００２９】
しかも、スクリーン１２を構成する多孔質パネルとして、上記のように正六角形断面の透水孔３６を有する多孔質パネル３２を適用しているので、透水孔が円形断面、又は矩形断面の多孔質パネルによってスクリーンが構成される従来のこの種のパネル連結型の除塵装置に比べると透水性を高めることができるという効果がある。すなわち、正六形断面の透水孔３６によると、パネルに対して透水孔３６を効率的に形成することが可能であり、同じ断面積であっても他の断面形状の透水孔に比べて単位面積当りの開口率を大きくとることができるのがその第１の理由である。
【００３０】
以下の表１は、図４（ａ）に示す上記多孔質パネル３２、およびこれと同面積のパネルに、図５（ａ）〜図８（ａ）に示すように、上記透水孔３６と略同一断面積の断面円形、正方形、正五角形および正八角形の各透水孔３７ａ〜３７ｄを縦横に規則的に設けた多孔質パネル３３ａ〜３３ｄの開口率等を比較した例である。
【００３１】
【表１】
0003098519.tif 000003
【００３２】
この表からも、正六角形断面の透水孔３６を有する多孔質パネル３２によると他の断面形状の透水孔３７ａ〜３７ｄを有する多孔質パネル３３ａ〜３３ｄに比べて開口率を大きく確保することができることが分かる。なお、図４（ｂ）〜図８（ｂ）に示すように、多孔質パネル３２，３３ａ〜３３ｄの各透水孔３６，３７ａ〜３７ｄは、いずれも隣接する透水孔同士が一定間隔（符号ｈ）を隔てて縦横に規則的に並ぶことを条件として形成されている。
【００３３】
また、第２の理由として、正六角形断面の透水孔３６によると、粘性のある塵芥が透水孔内に付着し難く、透水孔３６が閉塞され難い点がある。すなわち、円形断面以外の透水孔ではその内部にエッジ部（角部）が在り、粘性のある塵芥が透水孔に入り込むと表面張力によってエッジ部に塵芥が付着、堆積して透水孔を塞ぐこととなる。そして、その付着はエッジ部の角度が小さいほど発生し易い傾向にあるところ、上記のような正六角形断面の透水孔３６によると、その内角（エッジ部分の角度）が鈍角（θ＝１２０°）となるため、従来のようなエッジ部分が直角である矩形断面の透水孔に比べて塵芥が付着し難くなる。
【００３４】
つまり、正六角形断面の透水孔３６を採用した多孔質パネル３２によると、上記のようにパネル自体の開口率を物理的に大きく設けることができる一方で、粘性塵芥の付着による透水孔３６の閉塞も有効に防止することができ、その結果、スクリーン１２の透水性が高められることとなる。
【００３５】
従って、このような多孔質パネル３２からスクリーン１２が構成される上記除塵装置１０によると、塵芥を良好に捕捉する一方で、流水を堰き止めることなく、よりスムーズに流下させることができるようになるという効果を得ることができる。
【００３６】
なお、上述した除塵装置１０は、本考案に係る除塵装置の一例であって、その具体的な構造等は、本考案の要旨を逸脱しない範囲で適宜変更可能である。
【００３７】
例えば、実施形態の多孔質パネル３２は、図４（ａ）に示すように、スクリーン１２の幅方向に細長の矩形とされ、各透水孔３６は、六角形断面の頂部がスクリーン回転方向に向き、かつこの回転方向および幅方向に一定ピッチで整列して並び、さらに前記回転方向に隣接する透水孔同士が前記幅方向に半ピッチずれた配列で形成されているが、例えば、多孔質パネル３２の配列は、必ずしもこの配列である必要はなく、塵芥の捕捉性と透水性とが良好に確保できるように水路１の水量等に応じて適宜選定すればよい。
【００３８】
また、透水孔３６の向きは、図９に示すように、六角断面の頂部をスクリーン１２の幅方向（多孔質パネル３２の長手方向）に向けたものであっても構わない。但し、図４（ａ）と同配列の場合、多孔質パネル３２の長手方向略中心（図４（ａ），図９中の線分Ｌ−Ｌ）での曲げ応力を考えると、断面係数が若干大きく（開口面積が小さく）なる図４（ａ）の向きの方が曲げ応力は小さくなる。従って、多孔質パネル３２（スクリーン１２）の耐久性等を考慮すると、図４（ａ）に示すような向きで透水孔３６を設ける方が有利である。
【００３９】
また、上記実施形態では、スクリーン１２の内側に水流を招き入れながら塵芥をスクリーン１２の内側で捕捉するタイプの除塵装置１０に本考案を適用しているが、本考案は、例えばスクリーンの外周面を水路の上流側に向けた状態でスクリーンを水路１内に配置し、流下する塵芥をスクリーンの外周面で捕捉するタイプの除塵装置についても適用可能である。本考案は、要するに、無端状のスクリーンにより塵芥を捕捉しつつ、該スクリーンの回転移動に伴い塵芥を水路等から引き上げる装置であって、かつ複数の多孔質パネルが連結されることによりスクリーンが構成されている除塵装置であれば何れのタイプの除塵装置であっても適用可能である。
【００４０】
【考案の効果】
以上説明したように、本考案は、スクリーンの回転移動に伴い塵芥を流水中から引き上げる除塵装置において、六角形断面をもつ複数の透水孔を形成した多孔質パネルを連結して前記スクリーンを構成し、この構成によって、スクリーン自体の開口率を物理的に高めるとともに粘性塵芥の付着による透水孔の閉塞を有効に防止することができるようにしたので、塵芥を良好に捕捉する一方で、流水をスムーズに流下させることができるようになる。
【図面の簡単な説明】
【図１】本考案に係る除塵装置の一実施形態を示す斜視概略図である。
【図２】除塵装置の構成を示す平断面図である。
【図３】スクリーンの構成を示す部分的な平面図である。
【図４】断面円形の透水孔を形成した多孔質パネルを示す平面図である（（ａ）は全体図、（ｂ）は要部拡大図を示す）。
【図５】断面矩形（正方形）の透水孔を形成した多孔質パネルを示す平面図である（（ａ）は全体図、（ｂ）は要部拡大図を示す）。
【図６】断面正五角形の透水孔を形成した多孔質パネルを示す平面図である（（ａ）は全体図、（ｂ）は要部拡大図を示す）。
【図７】断面正六角形の透水孔を形成した多孔質パネルを示す平面図である（（ａ）は全体図、（ｂ）は要部拡大図を示す）。
【図８】断面正八角形の透水孔を形成した多孔質パネルを示す平面図である（（ａ）は全体図、（ｂ）は要部拡大図を示す）。
【図９】断面正六角形の透水孔を形成した別の多孔質パネルを示す平面図である。
【符号の説明】
１　水路
１０　除塵装置
１２　スクリーン
３２　多孔質パネル
３６　透水孔
【図１】
0003098519.tif 000004
【図２】
0003098519.tif 000005
【図３】
0003098519.tif 000006
【図４】
0003098519.tif 000007
【図５】
0003098519.tif 000008
【図６】
0003098519.tif 000009
【図７】
0003098519.tif 000010
【図８】
0003098519.tif 000011
【図９】
0003098519.tif 000012